(57)【要約】【課題】開口性に優れていて使い勝手がよく、またフィルムの無駄を生じさせることなく効率よく成形することができる袋入り滑り止め材とそれに用いる袋を提供すること。【解決手段】下部に先細テーパ状の細径部２が形成され、この細径部２の先端部に滑り止め材排出用の開口部を形成するための切断補助用切欠部３が設けられてなる袋内に、袋上部の開口部より滑り止め材を充填した後、前記開口部をシールして密閉してある袋入り滑り止め材。また、袋本体１が、少なくとも１層以上のポリアミド樹脂層１ａを有する多層構造からなるフィルムで形成されており、袋本体１の下部に平袋を斜め下方に横断する切断線により形成される先細テーパ状の細径部２が形成され、この細径部２の先端部に滑り止め材排出用の開口部を形成するための切断補助用切欠部３を設けた滑り止め材保管用の袋。【選択図】図１
2007204115.tif 000002
【特許請求の範囲】
【請求項１】
下部に先細テーパ状の細径部が形成され、この細径部の先端部に滑り止め材排出用の開口部を形成するための切断補助用切欠部が設けられてなる袋内に、袋上部の開口部より滑り止め材を充填した後、前記開口部をシールして密閉してあることを特徴とする袋入り滑り止め材。
【請求項２】
袋を形成するフィルムが、少なくとも１層以上のポリアミド樹脂層を有する多層構造からなるものである請求項１に記載の袋入り滑り止め材。
【請求項３】
袋本体が、少なくとも１層以上のポリアミド樹脂層を有する多層構造からなるフィルムで形成されており、袋本体の下部に平袋を斜め下方に横断する切断線により形成される先細テーパ状の細径部が形成され、この細径部の先端部に滑り止め材排出用の開口部を形成するための切断補助用切欠部が設けられていることを特徴とする滑り止め材保管用の袋。
【発明の詳細な説明】
【技術分野】
【０００１】
本発明は、開口性に優れていて使い勝手がよく、またフィルムの無駄を生じさせることなく効率よく成形することができる袋入り滑り止め材とそれに用いる袋に関するものである。
【背景技術】
【０００２】
道路が凍結した場合に、自動車が滑らないようにする目的で、従来から砂や塩化カルシウム等の滑り止め材が広く利用されている。この滑り止め材は、坂道などの自動車道に設置されていて必要に応じ道路に撒いて使用されるのが一般的であるが、最近では凍結時における歩行者の転倒事故も多発しており、交差点などにも歩行者用の袋入り滑り止め材を設置しておくケースが増えてきた。
【０００３】
このような歩行者用の袋入り滑り止め材としては、ポリエチレン樹脂よりなる四角状の平袋に、女性や老人等の使い勝手を考慮して内容量を１〜３ｋｇ入りと比較的軽くしたものが用いられている。
しかしながら、従来のものはポリエチレン樹脂よりなる袋であるため破れにくく、袋を開いて適度な大きさの排出口を作ることが難しく、特に滑り止め材の使用時期は寒くて手袋をしているため余計に袋を開けにくいという問題点があった。また、適度な大きさの排出口が作れないことから、滑り止め材を道路上の狙った位置へ、かつ均等に散布することは困難であるという問題点があった。
【０００４】
一方、平袋として例えば特許文献１に示されるように、下部を細くした漏斗型の袋も提案されているが、袋を形成する樹脂材料の面から容易な開口性は確保されてという問題点や、外周縁を全て接着する構造であるため袋製造工程が複雑化するという問題点や、更には、フィルム切断時において無駄な部分が多く発生するという問題点があった。
【特許文献１】特開平１０−３１０１５０号公報
【発明の開示】
【発明が解決しようとする課題】
【０００５】
本発明は上記のような問題点を解決して、開口性に優れていて適度な開口部を簡単に形成することができ、滑り止め材を所定量の割合で均一に散布することができ、またフィルムの無駄を生じさせることなく効率よく成形することができる袋入り滑り止め材とそれに用いる袋を提供することを目的として完成されたものである。
【課題を解決するための手段】
【０００６】
上記課題を解決するためになされた本発明は、下部に先細テーパ状の細径部が形成され、この細径部の先端部に滑り止め材排出用の開口部を形成するための切断補助用切欠部が設けられてなる袋内に、袋上部の開口部より滑り止め材を充填した後、前記開口部をシールして密閉してあることを特徴とする袋入り滑り止め材を第１の発明とする。
また、袋本体が袋を形成するフィルムが、少なくとも１層以上のポリアミド樹脂層を有する多層構造からなるフィルムで形成されており、袋本体の下部に平袋を斜め下方に横断する切断線により形成される先細テーパ状の細径部が形成され、この細径部の先端部に滑り止め材排出用の開口部を形成するための切断補助用切欠部が設けられていることを特徴とする滑り止め材保管用の袋を第２の発明とする。
【発明の効果】
【０００７】
本発明では、袋本体を少なくとも１層以上のポリアミド樹脂層を有する多層構造からなるフィルムで形成するとともに、袋本体の下部に平袋を斜め下方に横断する切断線により形成される先細テーパ状の細径部が形成され、この細径部の先端部に滑り止め材排出用の開口部を形成するための切断補助用切欠部が設けられているものとしたので、優れた開口性を発揮し滑り止め材の撒布に適度な開口部を簡単に形成することが可能となる。また、フィルムの無駄を生じさせることなく、しかも安価に成形することが可能となる。
【発明を実施するための最良の形態】
【０００８】
以下に、図面を参照しつつ本発明の好ましい実施の形態を示す。
図１は本発明で使用する滑り止め材保管用の袋の正面図を示すものである。ここで滑り止め材とは、砂や塩化カルシウム等の一般的なものである。また図１において、１は平袋状の袋本体、２は袋本体１の下部に平袋を斜め下方に横断する切断線により形成された先細テーパ状の細径部、３はこの細径部２の先端部に設けられた滑り止め材排出用の開口部を形成するための切断補助用切欠部である。なお、４ａ、４ｂは熱溶着して形成された接着部である。
【０００９】
また本発明の袋本体１を形成するフィルムは、少なくとも１層以上のポリアミド樹脂層を有する多層構造からなるものである。より具体的には、図２に示すように、表面側からポリアミド樹脂層１ａ、変性ポリエチレン樹脂層１ｂ、ポリエチレン樹脂層１ｃを積層した３層構造からなるものとなっている。
【００１０】
本発明では従来と異なり、袋を形成するフィルムが、６−ナイロンのようなポリアミド樹脂層１ａを少なくとも１層以上有する多層構造からなるものとすることで、フィルムとして必要な引張強度、引裂強度、衝撃強度、突き刺し強度等の基本的な性質を大幅に向上させている。また、開口性に優れているので女性や手袋をしている場合でも簡単に袋を開けることができ、この結果、滑り止め材の撒布に適度な開口部を簡単に形成することができることとなる。
また、内層となるポリエチレン樹脂層１ｃは、ポリアミド樹脂層のみでは脆さがあるため粘りを付与するとともに、後記するポリエチレン樹脂層１ｃとの接着力を向上させるためのものである。また、中間層である変性ポリエチレン樹脂層１ｂは、前記ポリアミド樹脂層１ａとポリエチレン樹脂層１ｃとを接着一体化するための接着層の役割をするものである。
【００１１】
なお、フィルムの多層構造としては、上記のものに限定されるものでなく、例えば以下のような多層フィルムでもよい。
変性ポリエチレン樹脂層（変性ＰＥ）／ポリアミド樹脂層（Ｎｙ）／変性ＰＥ、
ＰＥ／変性ＰＥ／Ｎｙ／変性ＰＥ／ＰＥ、
Ｎｙ／変性ＰＥ／Ｎｙ／変性ＰＥ／ＰＥ、
ポリブチルテレフタレート（ＰＢＴ）／変性ＰＥ／Ｎｙ／変性ＰＥ／ＰＥ、
ポリエステル／変性ＰＥ／Ｎｙ／変性ＰＥ／ＰＥ
なお、上記フィルムはリサイクル原料を使用することも可能であるため、省資源の点からも有効である。
【００１２】
以上のような３層構造のフィルムは、多層チューブとして連続成形され、あるいはラミネートフィルムとして成形され、一定長さに切断されて平袋状の袋本体１とされる。また、袋下部には先細テーパ状の細径部２が形成され、平袋状の袋本体１この細径部の先端部に滑り止め材排出用の開口部を形成するための切断補助用切欠部３が設けられる。そして、この袋内に、袋上部の開口部より砂等の滑り止め材を充填した後、前記開口部をシールして密閉し袋入り滑り止め材とするのである。
なお、図示のものでは、細径部２は平袋を斜め下方に横断する切断線により形成されているので、フィルムの無駄も発生せず、また袋形成のための接着箇所も接着部４ａ、４ｂの２ヶ所だけであるため、極めて成形性に優れたものとなる。
【００１３】
このような袋入り滑り止め材は、図３に示されるように、必要に応じて細径部の先端部に引きちぎって滑り止め材排出用の開口部を形成し滑り止め材を撒布するが、少なくとも１層以上のポリアミド樹脂層を有する多層構造からなるフィルムである点と切断補助用切欠部の存在により、開口性に優れていて適度な開口部を簡単に形成することができることとなる。この結果、滑り止め材を適度の割合で、かつ均一に散布することができるので、滑り止め材の効果を最大限に引き出すことができることとなる。
【００１４】
以上の説明からも明らかなように、本発明の袋入り滑り止め材は、少なくとも１層以上のポリアミド樹脂層を有する多層構造からなるフィルムでされており、この袋本体の下部に先細テーパ状の細径部が形成され、この細径部の先端部に滑り止め材排出用の開口部を形成するための切断補助用切欠部が設けられてなる袋内に、袋上部の開口部より滑り止め材を充填した後、前記開口部をシールして密閉してあるものであるので、優れた開口性を発揮し滑り止め材の撒布に適度な開口部を簡単に形成することが可能となる。また、フィルムの無駄を生じさせることなく、安価に成形することが可能となる。
よって従来の問題点を解決した有用な袋入り滑り止め材とそれに用いる袋として、産業界の発展に寄与するところ極めて大である。
【図面の簡単な説明】
【００１５】
【図１】本発明の実施の形態を示す使用説明図である。
【図２】袋の構造示す拡大断面図である。
【図３】本発明の使用例を示す説明図である。
【符号の説明】
【００１６】
１  袋本体
１ａ  ポリアミド樹脂層
１ｂ  変性ポリエチレン樹脂層
１ｃ  ポリエチレン樹脂層
２  細径部
３  切欠部
４ａ  接着部
４ｂ  接着部
【図１】
2007204115.tif 000003
【図２】
2007204115.tif 000004
【図３】
2007204115.tif 000005